Podtech/llm-jp-corpus-v4-ja_patent huggingface dataset:
(57)【要約】【課題】  化石燃料に代わるエネルギー源として、水素が注目されており、水素は燃やすと水ができるだけで、地球温暖化の原因となる二酸化炭素や有害な窒素酸化物などが排出されないので、将来のクリーンエネルギーとして期待されている。比較的安価で有害廃棄物を排出しない、アルコール水溶液から水素を製造する簡便な手法を提供する。【解決手段】  アルコール水溶液に過酸化水素を混合した溶媒に光を照射し、連続的に水素製造する方法。【選択図】  なし【特許請求の範囲】
【請求項１】
アルコール水溶液に過酸化水素を混合した溶媒に、光を照射して水素を生成する水素製造方法。
【請求項２】
前記アルコール水溶液がメタノールであることを特徴とする請求項１に記載の水素製造方法。
【請求項３】
前記混合溶媒の温度が、１０〜５０℃であることを特徴とする請求項１又は請求項２に記載の水素製造方法。
【発明の詳細な説明】
【技術分野】
【０００１】
本発明は、アルコール水溶液に過酸化水素を混合した溶媒に光を照射し、水素製造する方法に関するものである。
【背景技術】
【０００２】
新しいエネルギー源として原子力発電が実用化されているが、安全性や廃棄物処理等の問題を抱えているため、クリーンで安全な新エネルギーの開発が注目されている。現在、化石燃料資源の制約やそれらの大量消費によって引き起こされた深刻な地球温暖化など環境問題が注目されている。
【０００３】
近年、化石燃料に代わるエネルギー源として、水素が注目されている。水素は燃やすと水ができるだけで、地球温暖化の原因となる二酸化炭素や有害な窒素酸化物などが排出されないので、将来のクリーンエネルギーとして期待されている。
【０００４】
従来、アルコールからの水素製造法では、改質用触媒の存在下で水蒸気改質を４００℃以上の高温反応場で行っている。また、アルコール水溶液中に半導体光触媒を設置し、光を照射することにより水素を製造する手法も報告されている。
【０００５】
しかしながら、水蒸気改質法では高温反応場を必要とする問題点が存在する。また、半導体光触媒を利用する方法では、長時間水素を製造すると、光触媒の活性が低下する問題点が存在する。したがって、水素製造法の実用化には、生産コストのさらなる低廉化が必要である。
【先行技術文献】
【特許文献】
【０００６】
【特許文献１】特開２００６−３０６６６７号
【特許文献２】特開２００８−２８０２１９号
【発明の概要】
【発明が解決しようとする課題】
【０００７】
ここにおいて、本発明は、かかる事情を背景に為されたものであって、その解決課題とするところは、比較的安価でアルコールから光を利用して水素を製造することを提供することにある。
【課題を解決するための手段】
【０００８】
そして、本発明者が、水素製造方法について鋭意検討を重ねた結果、比較的安価でアルコール水溶液からの水素生成方法に有効であることを見出し、本発明を完成するに至ったのである。
【０００９】
すなわち、本発明は、アルコール水溶液に過酸化水素を混合した溶媒に光を照射し、水素製造する方法をその要旨とするものである。
【００１０】
なお、かかる本発明に従う水素製造方法の望ましい態様の一つによれば、前記水溶液溶媒としてメタノールを利用することとなる。
【００１１】
また、このような本発明に従う方法の他の望ましい態様の一つによれば、前記水溶液溶媒温度を１０〜５０℃で行うこととなる。
【発明の効果】
【００１２】
このように、本発明に従う水素製造方法にあっては、比較的安価で毒性の無いメタノールなどのアルコールと過酸化水素のみを利用し、原料コストも低廉で、低コストで水素製造を実施することができるようになっている。
【発明を実施するための形態】
【００１３】
ところで、かかる本発明に従う水素製造方法において、アルコール水溶液に過酸化水素を混合した溶媒に光を照射して水素製造することになるが、特に望ましい形態には、メタノールなどの低級アルコールが好適に用いられるのである。
【００１４】
そして、本発明に従う水素製造方法で利用する水溶液溶媒の温度は１０〜５０℃の範囲の温度において適宜で選定し、水素生成を実施することとなる。
【実施例】
【００１５】
以下に、本発明の代表的な実施例を示し、本発明を、更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等を加え得るものであることが、理解されるべきである。
【００１６】
試験例１
体積濃度で１０％メタノール水溶液に、１０ｍＭ濃度のなるように過酸化水素を添加した溶媒を調製した。この溶媒３０ｍＬをガラス容器製リアクターに入れ、密栓した。溶媒の温度は５０℃に設定した。このリアクターにキセノンランプ（ウシオ電機、９９０Ｗ）で３時間光照射を行い、水素を発生させた。発生した水素生成量は、ガスクロマトグラフィーで分析した。本条件における水素生成量は、０．６３マイクロモルであった。
【００１７】
体積濃度で１０％メタノール水溶液を、３０ｍＬをガラス容器製リアクターに入れ、密栓した。このリアクターにキセノンランプ（ウシオ電機、９９０Ｗ）で３時間光照射を行った。水素を発生させた。発生した水素生成量は、ガスクロマトグラフィーで分析した。本条件では水素は生成しなかった。
【００１８】
上記の実験を比較すると、アルコール水溶液と過酸化水素水溶液を混合した溶媒に光を照射すると、水素が生成していることは明らかであり、アルコールから工業的に水素を大量生産する場合に断然有利であると言える。
(57)【要約】      （修正有）【課題】磁気メモリーが磁気的干渉により消去、又は、損傷させないための磁気遮蔽板を提供する。【解決手段】磁性材を網状にし磁極を乱す構造の磁性材網１の両面を磁気的ショートさせないための非磁性材２で覆った構成を特徴とする磁気遮蔽板である。磁気メモリーは接近、又は、密着すると磁気的干渉により消去、又は、損傷することがあるが、磁気遮蔽板を磁気メモリー、又は、磁気源を覆うように設けることにより、互いの磁気による干渉を防ぎ、磁気メモリーは影響を受けない。【選択図】図１
2011146660.tif 000002
【特許請求の範囲】
【請求項１】
磁性材を網状にし磁極を乱す構造の磁性材網（１）の両面を磁気的ショートさせないための非磁性材（２）で覆った構成を特徴とする磁気遮蔽板。
【発明の詳細な説明】
【技術分野】
【０００１】  本発明は、磁気メモリーを磁気的干渉により消去又は、損傷させないための磁気遮蔽板に関するものである。
【背景技術】
【０００２】  従来、磁気的干渉を防ぐには、互いの磁気源に距離をとっていた。
【特許情報文献】
【０００３】
【特許文献１】  同等のものの記載なし
【発明の概要】
【発明が解決しようとする課題】
【０００４】  そのため次のような欠点があった。
磁気メモリーは接近又は、密着すると磁気的干渉により消去又は、損傷することがある。
本発明は、これらの問題を解決するためになされたものである。
【課題を解決するための手段】
【０００５】  磁性材を網状にし磁極を乱す構造の磁性材網（１）の両面を磁気的ショートさせないための非磁性材（２）で覆った構成を特徴とする磁気遮蔽板である。【０００６】  本発明は、磁気メモリーを覆うように設けることにより、他の磁気が密着又は、接近しても磁気的干渉はなく、磁気メモリーの消去又は、損傷はない。
【図面の簡単な説明】
【０００７】
【図１】  本発明の斜視図である。
【図２】  磁性材網の平面図である。
【発明を実施するための最良の形態】
【０００８】  以下、本発明を実施する最良の形態について説明する。
磁性材を網状にし磁極を乱す構造の磁性材網（１）の両面に磁気的ショートを防ぐための非磁性材（２）を設けた構成である。
これを使用するときは、磁気メモリー又は、磁気源を覆うように設けることにより、互いの磁気による干渉を防ぎ磁気メモリーは影響を受けない。
［図１］本発明の斜視図である。
【符合の説明】
【０００９】  １  磁性材網
２  非磁性材
【図１】
2011146660.tif 000003
【図２】
2011146660.tif 000004
(57)【要約】【課題】  地域性の高いホームページにおけるその地域性を利用した効果的な地域限定広告の添付方法を提供する。【解決手段】  該ホームページの情報をサーバー（ＳＶ１）に、該ホームページの地域ＩＤを含めた情報を記憶し、地域限定広告を出すことを希望する広告主の情報をサーバー（ＳＶ１）に、広告主が広告を希望する地域ＩＤを含めた情報を記憶し、任意のサーバー（ＳＶ２）に格納された該ホームページには、広告を表示したい位置に該ホームページＩＤを含めたスクリプトを記述し、閲覧者が該ホームページを閲覧した際、サーバー（ＳＶ１）は、該ホームページから送られたホームページＩＤから該ホームページ情報を抽出し、該ホームページ情報が持つ地域ＩＤから広告主情報を抽出し、広告主情報が持つ広告データを閲覧者ＰＣへ送り、該ホームページのスクリプトはサーバー（ＳＶ１）から送られて来た広告を表示する。【選択図】図１
2011146013.tif 000002
【特許請求の範囲】
【請求項１】
地域性の高いホームページにおけるその地域性を利用した効果的な地域限定広告システムの該ホームページ情報ファイルに地域情報ＩＤを格納しそれを以って広告地域を決定することを具備する方法。
【発明の詳細な説明】
【技術分野】
【０００１】  この発明は、地域性の高いホームページにおけるその地域性を利用した効果的な地域限定広告の添付方法である。
【背景技術】
【０００２】  現在ホームページを閲覧している地域を限定する場合、閲覧者の使用している接続拠点のＩＰアドレスやダイヤルアップで接続された電話番号等の情報を利用して閲覧者の地域を限定し地域限定広告の特許公開がされている。
【発明の開示】
【発明が解決しようとする課題】
【０００３】  これは次のような欠点があった。
接続情報のＩＰアドレスで地域を確定する場合、接続されてきたプロバイダのＩＰアドレスがどの地域に配置されているのかをすべて知る必要があり、実質不可能である。また、電話番号についてもプロバイダを経由しており広告配信業者が知ることは不可能である。
本発明は、地域性の高いホームページに限り以上のような欠点をなくすためになされたものである。
【課題を解決するための手段】
【０００４】  閲覧者の情報から地域を限定するのではなく、地域性の高いホームページについてのみを対象とし、該ホームページが持つ地域性を利用して以下の技術的手段から閲覧者の地域をみなし特定し、適切に地域限定広告を行うシステムを提供する。
（１）広告掲載を許可するホームページの情報として、該ホームページの管理者住所とは      別に該ホームページの地域性を示す地域情報となる都道府県ＩＤもしくは市町村Ｉ      ＤをホームページＩＤと同時に、該システムを管理するサーバーの記憶装置に記憶      する。
（２）広告掲載を希望する個人および団体は広告主情報として、１つから複数の都道府県      ＩＤもしくは市町村ＩＤと広告内容データを広告情報ＩＤと同時に、該システムを      管理するサーバーの記憶装置に記憶する。
（３）該ホームページの広告表示位置に前記（１）で登録したホームページＩＤを含めた      広告表示用のスクリプトを記述する。
（４）閲覧者がインターネットを通して該ホームページを閲覧した場合、該システムを管      理するサーバーは、該ホームページに添付されたスクリプトからホームページＩＤ      を受信し、該システムを管理するサーバーの制御装置は、受信したホームページＩ      Ｄを基にホームページ情報を抽出しそのホームページの都道府県ＩＤもしくは市町      村ＩＤと、広告情報に記録されている１つから複数の都道府県ＩＤもしくは市町村      ＩＤを照合し、一致した場合広告情報の広告内容データを送出することにより地域      を限定した広告を順次表示する。
【発明の効果】
【０００５】（１）この発明は、地域性の高いホームページに掲載する広告なので、同じ地域内での地      域密着型の個人商店や団体の広告は非常に効果的である。
（２）この発明は、該ホームページのホームページ情報に地域ＩＤが格納されるため地域      の特定が非常に容易に行える。
【発明を実施するための最良の形態】
【０００６】インターネットサーバー（ＳＶ１）に地域限定広告表示システムを設置する。広告を出したい広告主は、該システムに広告主情報を登録する。また広告の添付を許可する該ホームページの管理人は、該システムにホームページ情報を登録し、該ホームページの広告表示希望位置に該システムの制御プログラムの呼び出しスクリプトを記述する。
【図面の簡単な説明】
【０００７】
【図１】本発明の全体図である。▲１▼▲２▼▲３▼は手順を示す。
【図２】本発明の図１におけるＳＶ１の詳細図である。
【符号の説明】
【０００８】ＳＶ１  該システムが格納されたインターネットサーバー
ＳＶ２  地域限定広告を添付するホームページが格納されたインターネットサーバー
ＰＣ１・・・ＰＣｎ  不特定多数の閲覧者がホームページの閲覧に使用するパソコン
ＫＴ１・・・ＫＴｎ  不特定多数の閲覧者がホームページの閲覧に使用する携帯電話等移            動通信機器
ＳＶ１−１  制御装置
Ｆｉｌｅ１  制御プログラム
Ｆｉｌｅ２  ホームページ情報が格納されたホームページ情報ファイル
Ｆｉｌｅ３  広告情報が格納された広告情報ファイル
【図１】
2011146013.tif 000003
【図２】
2011146013.tif 000004
(57)【要約】【課題】ユーザが興味を持った、あるいは所有する物品の閲覧数、個数、購入価格、購入までの経緯等の情報から、ユーザの趣味・嗜好を測定し、ユーザのプロファイリング並びに、ユーザ間もしくはユーザとそれぞれの物品の相関関係を可視化する。【解決手段】ユーザが興味を持った、あるいは所有する物品の閲覧数、個数、購入価格、購入までの経緯等の情報データベースに時間軸を伴った形で蓄積する。また、それぞれの物品に対してカテゴリ分けを行い、カテゴリことに閲覧数、購入価格、個数に対する重み付けのパラメータを設定する。蓄積されたデータからカテゴリ別にユーザの趣味・嗜好の度合いを数値化するとともに、視覚的に分かる形で表現する。また、ユーザ間の趣味・嗜好の相関関係を可視化・数値化する。【選択図】図１
2011146003.tif 000002
【特許請求の範囲】
【請求項１】
ユーザの趣味・嗜好の判定に物品ページの閲覧数、物品の所有数と購入価格を用いる方法。
【請求項２】
物品をカテゴリ分類し、カテゴリごとに閲覧数、所有数、購入価格に対するランク付けパラメータを用いる方法、および購入からの経過日数に対する減衰係数を設けること。
【請求項３】
請求項１、および請求項２により、ユーザの趣味・嗜好をカテゴリごとにランク付けする方法。
【請求項４】
請求項３に記載したカテゴリごとのランクをレーダーチャートにプロットすることで、ユーザの趣味・嗜好を可視化する方法。
【請求項５】
請求項３のユーザの趣味・嗜好のランク数値を使用して、ユーザ間の趣味・嗜好の類似度を数値化する方法。
【発明の詳細な説明】
【技術分野】
【０００１】
本発明は、ユーザのＷｅｂページ閲覧履歴、物品購入履歴から当該ユーザの趣味・嗜好を測定するとともに、他のユーザとの相関関係を可視化するシステムに関する。
【背景技術】
【０００２】
電子商取引（ＥＣ）サイトなどでページ閲覧履歴、物品購入履歴からユーザの趣味・嗜好を測定し、その結果を使ってユーザへの物品斡旋（レコメンデーション）等が行われている。
【発明の概要】
【発明が解決しようとする課題】
【０００３】
従来の技術では、あるカテゴリに属する物品に対し、一定回数以上ページを閲覧した、物品を購入したユーザをそのカテゴリに対して興味があるユーザであると判定している。このため、一度閾値を超えてしまうと、そのカテゴリに対しては常に興味がある状態となり、時間による趣味・嗜好の変化が考慮されていない。
【０００４】
また、趣味・嗜好について、ユーザ間での相関関係を考慮することが行われておらず、個々のユーザの結果を単独でしか使用していなかった。
【０００５】
本発明では、従来とは異なる方法でユーザの趣味・嗜好を測定するとともに、ユーザ間での趣味・嗜好の相関関係を可視化し、その結果を使用することでマーケティングの効果を向上させることを目的としたものである。
【課題を解決するための手段】
【０００６】
図１に示すように、本発明では、ユーザに対して自身の購入した物品の情報とその物品に対するレビューをＷｅｂ上に登録する手段を提供する。ここで登録した物品の情報は、Ｗｅｂページとして他のユーザから参照することができ、その閲覧した履歴情報も保存する。
【０００７】
また、趣味・嗜好にを表すカテゴリを規定し、上記で登録する物品をいずれかのカテゴリに所属させる。物品の所属カテゴリの設定は、物品が新規に登録されるたびに実施する必要がある。
【０００８】
趣味・嗜好カテゴリには属性として、カテゴリに属する物品のＷｅｂページを閲覧した回数、カテゴリに属する物品の所有数、購入価格の合計値に対して設定したランク分けを定義する。カテゴリに設定するランク分けの例を表１に示す。
【０００９】
【表１】
2011146003.tif 000003
【００１０】
表１のランク分けの定義を利用して、ユーザのカテゴリに対するランクを算出する。ランクの算出においては、ランク内のすべての条件を満たしているところが当該ユーザのランクとなる。ランクを算出する際、ページ閲覧回数の条件は、一定期間内の閲覧回数を対象とする。また、物品所有数、購入価格の合計には、購入日からの経過日数に応じた減衰係数を掛けて算出する。減衰係数の例を表２に示す。
【００１１】
【表２】
2011146003.tif 000004
【００１２】
このようにして算出したユーザのカテゴリごとのランクを図２にあるようにカテゴリを軸としたレーダーチャートにプロットすることにより、そのユーザの趣味・嗜好性を視覚的に表現することが可能となる。
【００１３】
ユーザ間でカテゴリランクのレーダーチャートの図形の形状を比較することにより、ユーザ同士の趣味・嗜好の相関関係を視覚的に比較することができる。
【００１４】
また、ユーザ間の趣味・嗜好の類似度を数値化することも可能である。この場合、カテゴリごとのランク数値の全カテゴリ合計に対する各カテゴリのランク数値が占める割合（カテゴリ占有率）をユーザごと算出し、他のユーザのカテゴリ占有率との間で数式１に示す計算式によって類似度を算出する。数式１の計算結果が０に近いほど、類似度が高いことを表す。
【００１５】
【数１】
2011146003.tif 000005
【発明の効果】
【００１６】
本発明により、個々のユーザの趣味・嗜好の測定精度が向上し、レコメンデーションを含むマーケティングの効果を最大にすることができる。
【００１７】
また、単に個々のユーザの趣味・嗜好の測定精度が向上するだけでなく、ユーザ間の類似度を利用することで、あるユーザに対して成功したレコメンデーションを類似のユーザにも実施するなど、効率的なマーケティングが実施できる。
【００１８】
本発明をＣＲＭ（Customer Relationship Management）システムに組み込むことにより、従来は顧客の管理に主眼がおかれていたＣＲＭシステムに対し、ユーザの趣味・嗜好に応じた決め細やかなサービスを実施できるようになるとともに、ユーザの相関関係を利用したユーザ行動予測が可能となる。
【図面の簡単な説明】
【００１９】
【図１】図１は本発明におけるユーザの所有物品登録とページ閲覧の概要を表している。
【図２】図２は本発明におけるユーザの趣味・嗜好の視覚表現を表すものとして、カテゴリを軸としたレーダーチャートへカテゴリごとのランクをプロットした図形を表している。
【図１】
2011146003.tif 000006
【図２】
2011146003.tif 000007
(57)【要約】【課題】Ｗｅｂコミュニティサービスでの活動内容からユーザプロファイリングを行い、特定の目的に最適なユーザを抽出する。【解決手段】コミュニティサービス内での閲覧履歴、発言履歴をデータベースに蓄積しておく。蓄積された履歴情報を分析し、ユーザの行動力、情報発信力、趣味・嗜好についてのプロファイリングを行い、特定の目的に最適なユーザを抽出する。また、抽出結果に対するフィードバックを行うことで、次回以降の抽出アルゴリズムにおける各種パラメータの最適化を行う。【選択図】図１
2011146004.tif 000002
【特許請求の範囲】
【請求項１】
ユーザプロファイリングの基礎データとしてＷｅｂコミュニティサービスでの閲覧履歴、発言履歴を用いる方法。
【請求項２】
発言内容を形態素解析により要素に分割し、ポジティブ要素、ネガティブ要素の割合をユーザプロファイリングに用いる方法。
【請求項３】
発言を見た他のユーザのその後の発言との類似性から、情報発信力を測定する方法。
【請求項４】
閲覧したページの内容に類似した発言を行う頻度から、行動力を測定する方法。
【請求項５】
請求項２、請求項３、請求項４の結果として導き出されたユーザプロファイリングを基に、特定条件に最適なユーザを抽出する方法。
【請求項６】
請求項５で抽出されたユーザのうち不合格とするユーザをシステムに与えることにより、請求項５のユーザ抽出における各種パラメータを自動的に調整する方法。
【発明の詳細な説明】
【技術分野】
【０００１】
本発明は、Ｗｅｂコミュニティサイトにおける閲覧履歴、発言履歴から、ユーザの行動力、情報発信力、趣味・嗜好についてのプロファイリングを行い、特定の目的に最適なユーザを抽出するシステムに関する。
【背景技術】
【０００２】
ユーザプロファイリングは、様々な用途で用いられているが、主にユーザに対してアンケート等の質問を行い、その回答内容を分析する手法が用いられている。また、文章の内容を分析する方法として、文章を要素に分割する形態素解析という技術がある。
【発明の概要】
【発明が解決しようとする課題】
【０００３】
従来のユーザプロファイリングでは、主にユーザに対してアンケート等の質問を行い、その回答内容を分析することによってプロファイリングを行っている。
【０００４】
アンケート等によるプロファイリングでは、設問内容や制限時間等により回答時にユーザ自身の思考以外の要素が入ることが多く、ユーザの考え方が必ずしも素直に回答に反映されないことが多い。また、選択式の設問である場合には、自身の考えに必ずしも一致していなくてもいずれかの回答を選択する必要がある。このように、アンケート等の質問に対する回答を基にしたユーザプロファイリングには、その精度に問題があることが多い。
【０００５】
本発明では、ユーザプロファイリングにおいてユーザの思考以外を極力排除するためにＷｅｂコミュニティサイトでのユーザ活動を利用し、プロファイリングの精度向上を目的としたものである。
【課題を解決するための手段】
【０００６】
本発明で用いるＷｅｂコミュニティサイトとは、ユーザごとに自身のページを保持し、その自身のページにおいてある主題に対する自身の考えを発言し、それを他のユーザが閲覧できるとともに、コメントを記述することができるものである。このＷｅｂサイトにおける「発言頻度」「閲覧頻度」「発言内容の解析結果」「閲覧内容と発言の類似性」を使用してユーザプロファイリングを行う。
【０００７】
「発言頻度」としては、自分のページでの発言回数、および他のユーザの発言に対するコメント記述回数を１日あたりの値に換算して使用する。
【０００８】
「閲覧頻度」としては、他のユーザのページの閲覧回数を１日あたりの値に換算して使用する。
【０００９】
「発言内容の解析結果」としては、自身のページでの発言内容を形態素解析によって要素に分解し、その結果から１発言あたりの要素数と、ポジティブな要素、ネガティブな要素それぞれが含まれている割合を使用する。
【００１０】
ここで、形態素解析の結果として得られる要素のうち、どの要素をプロファイリングに使用するか、および要素がネガティブな内容なのか、ポジティブな内容なのかは、手動で設定する必要がある。そのため、形態素解析によって得られた要素は随時蓄積しておく。
【００１１】
「閲覧と発言の類似性」としては、自身の発言の内容とそれ以前に閲覧した他者の発言とを比較し、他者の発言に含まれる要素が自身の発言にどのくらいの割合で含まれているかを算出し、その値を使用する。
【００１２】
これらの情報を基に、一定期間におけるユーザの行動力、情報発信力、思考傾向のプロファイリングを行う。行動力は、「発言頻度」「閲覧頻度」の指標を使用し、サイト全体における偏差値で表す。情報発信力としては自身の発言に類似した他のユーザの発言が何件あるかを自身の発言全体の割合で表し、サイト全体における偏差値で表す。思考傾向は発言内容の形態素解析によって得られた要素のポジティブ・ネガティブ比率により表す。
【００１３】
また、前項で算出したユーザプロファイリングの値に対して、特定目的に合致するユーザの抽出を行うことができる。
【００１４】
ユーザ抽出では、最初に抽出対象とする行動力、情報発信力、思考傾向の値を設定し、その条件に合致するユーザを検索する。
【００１５】
ここで抽出されたユーザに対する合否判定をフィードバックとして与えると、その内容から抽出条件の変更を自動的に行い、次回以降の抽出条件とすることで最適なユーザ抽出を行う。
【００１６】
フィードバックでは、抽出したユーザの発言内容等を実際に確認し、不合格とするユーザがいれば不合格であることをシステムに対して通知する。不合格通知されたユーザ群のユーザプロファイリングの値の最低値と現在の抽出パラメータでの値との中間値を新たな抽出パラメータとして設定する。
【発明の効果】
【００１７】
本発明により、ユーザプロファイリングにユーザの純粋な思考を反映させることができ、ユーザプロファイリングの精度を飛躍的に向上させることができる。
【００１８】
また、プロファイリングの結果を使ったユーザ抽出において、抽出結果に対するフィードバックから、自動的に抽出条件を変更し、最適なユーザ抽出を行うことが可能となる。
【図面の簡単な説明】
【００１９】
【図１】図１は本発明全体の概要を表している。
【００２０】
【図２】図２は形態素解析による発言内容の分解とポジティブ・ネガティブ分析の概要を表している。
【図１】
2011146004.tif 000003
【図２】
2011146004.tif 000004
(57)【要約】【課題】  道路工事などの作業灯、災害などで停電したときに使用される防災用照明は、水銀灯などを光源とする発電装置付の照明装置が使用されていたが、照明装置は非常に高価で、重量も重いため作業現場まで車に乗せ、搬入する必要があった。また、ランプが高ワットのため発電装置の容量も大きくする必要があった。【解決手段】  トラックなどの荷台にＬＥＤを使用した照明装置を設置し、その電源を車のシガーライターソケットから採るようにし、最大電流を５Ａ以下にする。【選択図】図１
2011146357.tif 000002
【特許請求の範囲】
【請求項１】
最大電流が５Ａ以下の車載用シガーライタープラグ付ＬＥＤ点灯装置を、車のシガーライターソケットに差し込んで使用する作業用照明装置。
【発明の詳細な説明】
【技術分野】
【０００１】  本発明は、道路工事等の作業灯、停電時の防災用照明などに使用できるＬＥＤを光源とする照明装置に関するものである。
【背景技術】
【０００２】  一般に、道路工事などの作業灯、災害などで停電したときに使用される防災用照明は、水銀灯などを光源とする発電装置付の照明装置が使用されていた。
【発明の開示】
【発明が解決しようとする課題】
【０００３】  しかし、このような照明装置は非常に高価で、重量も重いため作業現場まで車に乗せ、搬入する必要があった。また、ランプが高ワットのため発電装置の容量も大きくする必要があった。
【課題を解決するための手段】
【０００４】  本発明は以上の点に鑑み、トラックなどの荷台にＬＥＤを使用した照明装置を設置し、その電源を車のシガーライターソケットから採るようにしたものである。【０００５】  シガーライターソケットから電源をとるには、照明装置の電源にシガーライタープラグを取り付ける必要がある。このシガーライタープラグの内部には電流ヒューズが取り付けられているが、シガーライタープラグの端子はスプリングを介して電流ヒューズと接触しているため、接触面が少なく、接触部の接触抵抗が高く、大きな電流が流せない。実験では６Ａ以上流すとシガーライタープラグの内部の温度は１００℃を超えてしまう。５Ａであればシガーライタープラグの内部温度は５２℃で問題ないレベルであったため、ＬＥＤを照明装置の光源に使用し、少ない電流で高照度を得るようにし、５Ａ以下の電流に抑えるようにした。
【発明の効果】
【０００６】  本発明によれば、シガーライタープラグ付の照明装置をトラックなどの車に設置することにより、従来使用していた発電機付の水銀灯照明装置を道路工事の作業灯や防災用の照明に使用するよりも、非常に安価で効率のよい照明装置になる。
【発明を実施するための最良の形態】
【０００７】  以下、図面に基づき本発明の実施の形態を説明する。【０００８】  図１は本発明の一実施例を示すＬＥＤ照明装置の外観図である。【０００９】  ＬＥＤ照明装置本体１には、車のシガーライターソケットに接続されるコード付シガーライタープラグ２が取り付けられている。夜間に道路工事の作業を行う場合は、わざわざ車で発電機付の水銀灯照明装置を運ばなくても、車に積み込んでいる前記ＬＥＤ照明装置のシガーライタープラグ２を、その車のシガーライターソケットに差し込めば作業灯として使用できる。【００１０】  シガーライタープラグは５Ａまでの電流であれば使用可能であるので、ＬＥＤ照明装置１台の電流が１．６Ａであれば３台まで使用でき、高範囲に光を照らすことが可能となる。
【図面の簡単な説明】
【００１１】
【図１】本発明の一実施例を示すＬＥＤ照明装置の外観図である。
【符号の説明】
【００１２】１・・・ＬＥＤ照明装置の本体
２・・・コード付シガーライタープラグ
【図１】
2011146357.tif 000003
(57)【要約】【課題】超電導磁石を励磁する際の低温容器内への熱侵入をなくすことができる非接触励磁超電導磁石装置を提供する。【解決手段】  非接触励磁超電導磁石装置であって、常温部１に配置される交流励磁電源２と、この交流励磁電源２に接続される変圧器の一次励磁コイルとを常温部に備え、前記一次励磁コイルによって励磁される変圧器の二次励磁コイル３と、この二次励磁コイル３に接続される整流器６と、この整流器６に接続される超電導スイッチ７と、この超電導スイッチ７と並列に接続される超電導磁石６とを低温容器４内に具備する。【選択図】  図１
2011146550.tif 000002
【特許請求の範囲】
【請求項１】
（ａ）常温部に配置される交流励磁電源と、該交流励磁電源に接続される変圧器の一次励磁コイルとを常温部に備え、
（ｂ）前記一次励磁コイルによって励磁される変圧器の二次励磁コイルと、該二次励磁コイルに接続される整流器と、該整流器に接続される超電導スイッチと、該超電導スイッチと並列に接続される超電導磁石とを低温容器内に具備することを特徴とする非接触励磁超電導磁石装置。
【請求項２】
請求項１の非接触励磁超電導磁石装置において、前記超電導磁石装置を磁気浮上式鉄道車両に搭載することを特徴とする非接触励磁超電導磁石装置。
【発明の詳細な説明】
【技術分野】
【０００１】
本発明は、非接触励磁超電導磁石装置に係り、磁気浮上式鉄道車両に搭載可能な非接触励磁超電導磁石装置に関するものである。
【背景技術】
【０００２】
図２は従来の電流リード部を有する超電導磁石装置の回路図である。
この図において、１０１は直流電源（励磁電源）、１０２は直流電源１０１に接続される電流リード部、１０３は電流リード線、１０４は電流リード線１０３に接続される超電導スイッチ、１０５は電流リード線１０３によって超電導スイッチ１０４と並列に接続される超電導磁石（超電導コイル）である。なお、１０６は低温容器（低温部）、１０７は常温部（外部）である。
【０００３】
従来の超電導磁石１０５を励磁する方法では、常温部１０７（外部）と低温容器１０６内の超電導磁石１０５間を電気的に結ぶ電流リード部１０２を配置し、外部の直流電源１０１から超電導磁石１０５へ電流を直接供給するのが一般的である（下記特許文献１，２参照）。
【先行技術文献】
【特許文献】
【０００４】
【特許文献１】特開２０００−３１５６０６号公報
【特許文献２】特開平６−２０８９２２号公報
【発明の概要】
【発明が解決しようとする課題】
【０００５】
しかしながら、上記した超電導磁石１０５に接続される電流リード部１０２は、常温部１０７と低温容器１０６とに渡って配置されているため、その電流リード部１０２から低温容器１０６への熱侵入が大きいことが問題となっている。電気抵抗が小さい金属を電流リード部１０２に用いた場合、熱伝導率も高くなるため、電流リード部１０２での電気的な損失を減らそうとすると、熱侵入も大きくなってしまう。
【０００６】
本発明は、上記状況に鑑みて、超電導磁石を励磁するにあたり、電流リード部から低温容器への熱侵入をなくすことができる非接触励磁超電導磁石装置を提供することを目的とする。
【課題を解決するための手段】
【０００７】
本発明は、上記目的を達成するために、
〔１〕非接触励磁超電導磁石装置であって、常温部に配置される交流励磁電源と、この交流励磁電源に接続される変圧器の一次励磁コイルとを常温部に備え、前記一次励磁コイルによって励磁される変圧器の二次励磁コイルと、この二次励磁コイルに接続される整流器と、この整流器に接続される超電導スイッチと、この超電導スイッチと並列に接続される超電導磁石とを低温容器内に具備することを特徴とする。
【０００８】
〔２〕上記〔１〕記載の非接触励磁超電導磁石装置において、前記超電導磁石装置を磁気浮上式鉄道車両に搭載することを特徴とする。
【発明の効果】
【０００９】
本発明によれば、従来の超電導磁石の電流リード部に代わり、非接触による給電方式を使用することで、超電導磁石（超電導コイル）を配置する低温容器内への熱侵入がなくなり、超電導磁石装置全体の保冷性能の向上を図ることができる。
【図面の簡単な説明】
【００１０】
【図１】本発明の実施例を示す非接触励磁超電導磁石装置の回路構成図である。
【図２】従来の従来の電流リード部を有する超電導磁石装置の回路図である。
【発明を実施するための形態】
【００１１】
本発明の非接触励磁超電導磁石装置は、常温部に配置される交流励磁電源と、この交流励磁電源に接続される変圧器の一次励磁コイルとを常温部に備え、前記一次励磁コイルによって励磁される変圧器の二次励磁コイルと、この二次励磁コイルに接続される整流器と、この整流器に接続される超電導スイッチと、この超電導スイッチと並列に接続される超電導磁石とを低温容器内に具備する。
【実施例】
【００１２】
以下、本発明の実施の形態について詳細に説明する。
図１は本発明の実施例を示す非接触励磁超電導磁石装置の回路構成図である。
この図に示すように、２は常温部１に配置される交流励磁電源、３は常温部１に配置され、交流励磁電源２に接続される変圧器の一次励磁コイル、４は低温容器であり、この低温容器４内に、一次励磁コイル３によって励磁される変圧器の二次励磁コイル５と、この二次励磁コイル５に接続される整流器６と、この整流器６に接続される超電導スイッチ７と、この超電導スイッチ７と並列に接続される超電導磁石（超電導コイル）８をそれぞれ配置する。
【００１３】
このように、常温部１側に変圧器の一次励磁コイル３を、低温容器４内に変圧器の二次励磁コイル５と、整流器６を設置して、交流励磁電源２により超電導磁石８へ電力を供給する。なお、この給電方式では、変圧器の一次励磁コイル３と二次励磁コイル５との非接触励磁（間隙を有する励磁）となるので、周波数及び一次電流を調整することにより、超電導磁石８へ供給する電力の調整を行うことができる。
【００１４】
このように構成することにより、超電導磁石８を非接触で給電することができ、従来の超電導磁石の電流リードを用いないため、常温部１から低温容器４内の超電導磁石８への熱侵入がなくなり、超電導磁石装置全体の保冷性能を向上させることができる。
また、本発明の非接触励磁超電導磁石装置は、磁気浮上式鉄道車両に搭載可能な非接触励磁超電導磁石装置としてメンテナンス上も好適である。
【００１５】
なお、本発明は上記実施例に限定されるものではなく、本発明の趣旨に基づき種々の変形が可能であり、これらを本発明の範囲から排除するものではない。
【産業上の利用可能性】
【００１６】
本発明の非接触励磁超電導磁石装置は、超電導磁石への熱侵入をなくし、保冷性能を向上させた超電導磁石装置として利用可能である。
【符号の説明】
【００１７】
１    常温部
２    交流励磁電源
３    変圧器の一次励磁コイル
４    低温容器
５    変圧器の二次励磁コイル
６    整流器
７    超電導スイッチ
８    超電導磁石
【図１】
2011146550.tif 000003
【図２】
2011146550.tif 000004
(57)【要約】【課題】  調理をする際に、野菜や肉等を入れたボールや皿を乗せて狭い調理台上を有効に使うことを目的とした調理用小棚を提供する。【解決手段】  台板後部に取り付けた支柱に、同じく後部に穴を開けた複数の棚板を通し、上下の高さを調節することにより野菜などを載せた数種類の皿等を棚板上に並べることで狭い調理台上を有効に使うことができる調理用小棚。【選択図】図１
2011056212.tif 000002
【特許請求の範囲】
【請求項１】
台板後部に取り付けた支柱に、同じく後部に穴を開けた複数の棚板を通し、上下の高さを調節することにより野菜などを載せた数種類の皿等を棚板上に並べることで狭い調理台上を有効に使うことができる調理用小棚。
【発明の詳細な説明】
【技術分野】
【０００１】  本発明は調理をする際、野菜や肉等を入れたボールや皿を乗せて狭い調理台上を有効に使うことを目的とした調理用小棚に関するものである。
【背景技術】
【０００２】  従来調理をする際、小さく切った野菜や肉等は一時的に別々のボールや皿等に入れて調理台上に並べて置いていた。
【発明の概要】
【発明が解決しようとする課題】
【０００３】  そのために次のような問題点があった。
種類が多い場合は調理台の上は狭く置ききれないため、食事用のテーブル等へ運んで調理台上以外の場所に並べなければならない場合も多々あり面倒であった。
本発明は以上の問題点を解決するためになされたものである。
【課題を解決するための手段】
【０００４】（イ）後方部に支柱を通すための穴を設けた棚板を複数枚作成する。
（ロ）棚板の高さを変更するためのピンを差す穴を複数開けた支柱を作成する。
（ハ）後方部に支柱を立てるための支柱受けを設けた台板を作成する。
以上のように構成された調理用小棚である。
【発明の効果】
【０００５】  棚板に支柱を差込むことで必要な枚数の棚板を増減することができル。
その際、高さ調節用ピンにて棚板を上下に変更することや、支柱が１本のため棚板を左右に回すことにより料理をするために切り終えた材料等を載せたボールや皿等をすべて棚板上に置くことができル。
狭い調理台上を有効に使用することができるとともに、使用しないときはすべての棚板を台板上に重ねて置くことにより嵩張らずに保管することができる。
【発明を実施するための形態】
【０００６】  以下、本発明の形態に付いて説明する。
後方に支柱（５）を差込むことができる穴（３）を設けた棚板（２）を数枚、および棚板と同サイズで同場所に穴（３）を設けた台板（１）を１枚作成する。
パイプ状の支柱受け（４）、および支柱（５）を作成するが、この際、支柱受け（４）と支柱（５）の外径は同寸法にする。
尚、支柱受け（４）に差込み、支柱（５）を固定する差込み部（６）の外形は、支柱受け（４）のパイプ内側に差込むことが可能なサイズにする。
台板（１）に設けた穴（３）に支柱受け（４）を差込み接着剤等で固定する。
支柱（５）の側面に適当な寸法で棚板（２）の高さを調節する調節ピン（８）を差込むためのピン受け穴（７）を複数個開ける。
ピン受け用穴（７）に差込み可能で支柱直径より長めの高さ調節ピン（８）を棚板（２）の枚数に合わせて作成する。
本発明は以上の構成によりなっている。
【図面の簡単な説明】
【０００７】
【図１】  本発明の組み立て説明の側面図である。
【図２】  本発明の台板および棚板の平面図である。
【図３】  本発明の組み立てた状態の斜視図である。
【図４】  本発明の畳んだ状態の説明図である。
【符号の説明】
【０００８】  １  台板
２  棚板
３  支柱差込用穴
４  支柱受け
５  支柱
６  支柱受けに差込む部
７  高さ調節用ピン差込用穴
８  棚板高さ調節用ピン
【図１】
2011056212.tif 000003
【図２】
2011056212.tif 000004
【図３】
2011056212.tif 000005
【図４】
2011056212.tif 000006
(57)【要約】【課題】バスタオルやシーツを竿に干すと、竿のスペースを大きく取り、他の洗濯物を干すためのスペースの確保が難しかった。バスタオルやシーツ用のじゃばら式タイプや、大物専用ハンガータイプでは、洋服は掛け辛い。角ハンガータイプの使用では、数箇所を洗濯バサミで吊るすため、型崩れする問題があった。  以上の問題点を解決するためのセパレートハンガーを提供する。【解決手段】吊るす部分の大型ピンチと掛ける部分の分割式掛け棒とに分離し、大型ピンチの抑え部の両端近くに棒通し穴を設け、分割式掛け棒の分割部は、ネジ式、差し込み式などにし、分割式掛け棒の両端は丸みを帯びた形状にしたことを特徴とするセパレートハンガー。【選択図】図１
2011056211.tif 000002
【特許請求の範囲】
【請求項１】
吊るす部分の大型ピンチと掛ける部分の分割式掛け棒との組み合わせより成り、大型ピンチの抑え部の近くに棒通し穴を設け、分割式掛け棒の分割部は、ネジ式、差し込み式などにし、分割式掛け棒の両端部は丸みを帯びた形状にしたことを特徴とするセパレートハンガー。
【発明の詳細な説明】
【技術分野】
【０００１】  本発明は、ハンガーの吊るす部分と掛ける部分との組み合わせより成る、セパレートハンガーに関するものである。
【背景技術】
【０００２】  従来、バスタオルやシーツなどを干すためには、竿、じゃばら式のハンガータイプ［特許文献１参照］、大物専用ハンガータイプ［特許文献２参照］、角ハンガータイプ［特許文献３参照］が利用されてきた。
【先行技術文献】
【０００３】
【特許文献１】  特開２０００−２１０４９７号公報
【特許文献２】  特開平９−１８２８９８号公報
【特許文献３】  特開２００４−２４８９９６号公報
【発明の概要】
【発明が解決しようとする課題】
【０００４】  バスタオルやシーツなどを竿に干すと、竿のスペースを大きく取り、他の洗濯物を干すためのスペースの確保が困難でした。バスタオル、シーツ用のじゃばら式ハンガータイプや、大物専用ハンガータイプでは、洋服は掛け辛い。角ハンガータイプの使用では、数箇所を洗濯バサミで吊るすため、型崩れする問題があった。
本発明は、以上の問題点を解決するためになされたものである。
【課題を解決するための手段】
【０００５】  吊るす部分の大型ピンチと掛ける部分の分割式掛け棒の組み合わせより成り、大型ピンチの抑え部の両端近くに棒通し穴を設け、分割式掛け棒の分割部は、ネジ式、差し込み式などにし、分割式掛け棒の両端部は丸みを帯びた形状にする。
以上を特徴とするセパレートハンガーである。
【発明の効果】
【０００６】  従来の竿干しのように、広げて干す事ができ、又、竿のスペースを縮小し他の洗濯物のスペースを確保することも出来る。分割式掛け棒にバスタオルやシーツを掛けて大型ピンチで止めて吊るすため、洗濯バサミを使わなくても止めることが出来る。洋服を干すことも可能である。又、角ハンガータイプのように洗濯バサミで何箇所も止めることがなく、型崩れしにくくなる。
【図面の簡単な説明】
【０００７】
【図１】本発明の全体図
【図２】本発明の分解図
【発明を実施するための形態】
【０００８】  以下、本発明の実施の形態を説明する。
（イ）大型ピンチ（１）の抑え部（６）の両端近くに棒通し穴（２）を設ける。
（ロ）分割式掛け棒（３）の分割部（４）は、ネジ式、差し込み式などとする。
（ハ）分割式掛け棒（３）の両端部（５）は、丸みを帯びた形状にする。
本発明は以上のような構造である。
本発明を使用するときは、分割式掛け棒（３）にバスタオルやシーツを掛け、大型ピンチ（１）をバスタオルやシーツの上に抑え止め、吊るして干す。必要に応じて分割式掛け棒（３）の分割部（４）にて分割し、好みの長さで使用できる。Ｔシャツやトレーナーなどを干すときには、袖口より分割式掛け棒（３）を通し、襟元に大型ピンチ（１）を止めて吊るし干すと、脇までよく乾かす事が出来る。ズボンなどを干すときには、２組の大型ピンチ（１）を使用し、ズボンのウエスト部分を止めて干すと風通しよく、乾き易くなる。大型ピンチ（１）を２組使い、棒通し穴（２）に２本の分割式掛け棒（３）を通して使うなど、使用者のアイデアで、多用途に使うことが出来る。
【符号の説明】
【０００９】（１）大型ピンチ、（２）棒通し穴、（３）分割式掛け棒、（４）分割部、（５）両端部、（６）抑え部
【図１】
2011056211.tif 000003
【図２】
2011056211.tif 000004
(57)【要約】【課題】  本発明は、頸椎を牽引することにより、健康改善される頸椎牽引用の枕を提供する。【解決手段】  略半円柱状の枕本体（１）に段差を付け、高さを低くした中央部（２）を設け、両側には高さを同じにした両端部（３）を設けたことを特徴とする頸椎牽引用の枕。【選択図】図１
2011056220.tif 000002
【特許請求の範囲】
【請求項１】
略半円柱状の枕本体（１）に段差を付け、高さを低くした中央部（２）を設け、両側には高さを同じにした両端部（３）を設けたことを特徴とする頸椎牽引用の枕。
【発明の詳細な説明】
【技術分野】
【０００１】  本発明は、頸椎を牽引することにより、健康改善される頸椎牽引用の枕に関するものである。
【背景技術】
【０００２】  従来、使用中の普通の枕をそのまま利用できて、睡眠中の首のアーチをサポートできる丸棒状で中身が調節可能な首用の枕があった（特許文献１参照）。
また、就寝中に頸椎を自然な形に保ちつつ適度な牽引ないしストレッチ効果が得られるような全体が半円柱形で構成される健康志向の枕があった（特許文献２参照）。
さらに、平板状をベースとし、首部を支持するための盛り上がりを設けた枕に腰部マットを付け、一体化した寝返り対応のものがあった（特許文献３参照）
【先行技術文献】
【０００３】
【特許文献１】  特開２００５−８７６８６号公報
【特許文献２】  登録実用新案３０６０６４６号公報
【特許文献３】  特開２００１−２８６３７９号公報
【発明の概要】
【発明が解決しようとする課題】
【０００４】  そのため、次のような問題点があった。
（イ）使用中の普通の枕と首用の枕の２つの枕を使用するため、枕同士のずれが生じる。
（ロ）中身を調節可能にすることで中身の偏りが生じ、アーチのサポートが不可能になる    。
（ハ）全体が半円柱形の枕では肩幅より枕の高さが低いため、横向きで寝ると肩が押し潰    されるため肩を痛めてしまう。
（ニ）腰部までカバーした枕では、寝返りによる移動範囲を考慮するとそのものは大きく    ならざるを得ないため、一般家庭で使用するには実用的とは思えない。
本発明は、これらの問題点を解決するためになされたものである。
【課題を解決するための手段】
【０００５】  略半円柱状の枕本体（１）に段差を付け、高さを低くした中央部（２）を設け、両側には高さを同じにした両端部（３）を設ける。
以上を特徴とする頸椎牽引用の枕である。
【発明の効果】
【０００６】  仰向きでは牽引枕として使用でき、かつ、横向きでも肩を痛める心配がないので寝返りを阻害することがない。
一体型になっているため、枕同士がずれることもない。
枕の中央部は、頸椎の全体の形状を本来ある人間の生理湾曲である頸椎部の緩やかな前傾した角度をつけさせ、頭部が枕により浮く形になることによって、頸椎椎間板が牽引され本来あった適度な椎間板の形状に戻り、頸椎椎間板の神経圧迫により出ている手の痺れ目の疲れ・耳鳴りなどの諸症状への効果が高い。
【図面の簡単な説明】
【０００７】
【図１】  本発明の斜視図である。
【図２】  本発明の断面図である。
【図３】  本発明の底面図である。
【発明を実施するための形態】
【０００８】  以下、本発明の実施の形態について説明する。
略半円柱状の枕本体（１）に段差を付け、高さを低くした中央部（２）を設け、両側には高さを同じにした両端部（３）を設ける。
枕本体（１）を枕のケース（５）で包み、枕のケース（５）をファスナー（４）で留める。
本発明は以上のような構成である。
これを使用するときは、仰向きで使用する際は、枕の中央部を用い、横向きで使用する際は両端部の高い部分を用いる。
仰向きでは高さを低くした中央部（２）を使用し、横向きでは両端部（３）を高くさせた部分を使用する。
【符号の説明】
【０００９】    １  枕本体
２  中央部
３  両端部
４  ファスナー
５  枕のケース（カバー）
【図１】
2011056220.tif 000003
【図２】
2011056220.tif 000004
【図３】
2011056220.tif 000005
(57)【要約】【課題】この発明は鯉のぼりが竿やロープ等に絡みつくのを防ぐために竿の一部分をくの字型に曲げた構造に関するものである。【解決手段】竿の先端部（１）をくの字に曲げ傾斜を設け、その先端部（１）に設けた差し込み菅（２）を軸に先端部（１）が水平に廻るようにする。【選択図】図１
2011056216.tif 000002
【特許請求の範囲】
【請求項１】
（イ）竿の先端部（１）をくの字に曲げて竿に傾斜を設ける。
（ロ）竿の胴体部（３）と先端部（１）を分離する。
（ハ）先端部（１）の下部に差し込み菅（２）を設けて胴体部（３）の上部に差し込む。
以上の如く構成された、くの字型鯉のぼり竿。
【請求項２】
先端部（１）は差し込み菅（２）を軸にして傾斜を保持しながら回転するようにした請求項１のくの字鯉のぼり竿。
【発明の詳細な説明】
【発明の詳細な説明】
【技術分野】
【０００１】  この発明は鯉のぼり竿の先端部（１）をくの字型に曲げて竿に傾斜を設け、その先端部（１）が傾斜を保持して水平に廻るようにした鯉のぼり竿に関するものである。
【背景技術】
【０００２】（イ）従来、鯉のぼり（４）は１本の竿の全長にロープ等を添えて垂直状態で揚げていたので鯉のぼり（４）は竿や、ロープ等によく絡みついていた。又風が吹かない時の鯉のぼり（４）は直線的に重なり合って見苦しかった。
（ロ）親竿に斜め竿を設けてロープで操作する方法は広い設置場所が必要であり、掲揚や収納がわずらわしかった。
【発明が解決しようとうる課題】
【０００３】  したがって鯉のぼり（４）が風に吹かれても竿の胴体部（３）や先端部（１）に  絡み付かないように、そして風が吹かない時でもさわやかに並んだ鯉のぼり（４）が見られるように発明されたものである。又玄関先やベランダ等の狭い場所でも容易に鯉のぼり（４）を揚げることが出来るように発明されたものである。
尚、胴体部（３）を釣り竿のようなスライド式、継ぎ竿式にするとより便利である。
【課題を解決するための手段】
【０００４】  今、その構成を説明すると
（イ）胴体部（３）と鯉のぼり（４）の取付け部である先端部（１）を分離する。
（ロ）先端部（１）をくの字型に曲げて先端部（１）に傾斜を設ける。
（ハ）先端部（１）の下部に差し込み菅（２）を設け胴体部（３）に差し込む。
（ニ）差し込み菅（２）を軸に先端部（１）が水平に廻るようにする。
以上のような構造にする。
【発明実施の形態】
【０００５】  次に本発明の実施の形態を述べると風が吹かない時は鯉のぼり（４）は傾斜した先端  部（１）に結束してあるので行儀よく並んでいる。風が吹く時は先端部（１）は鯉のぼり（４）に引かれて方向が変わるので鯉のぼり（４）は先端部（１）や胴体部（３）に絡みつくことがなく常にさわやかに並んで泳いで見える。
【発明の効果】
【０００６】  だから風が吹いても、吹かない時も鯉のぼり（４）は先端部（１）や胴体部（３）に絡みつくことなく、いつもさわやかに並んで見える。
【図面の簡単な説明】
【図１】  本発明の斜視図
【図２】  本発明の実施例の斜視図
【符号の説明】（１）  は先端部
（２）  は差し込み菅
（３）  は胴体部
（４）  は鯉のぼり
【図１】
2011056216.tif 000003
【図２】
2011056216.tif 000004